(57)【特許請求の範囲】
【請求項１】
マイクロホン及びスピーカと、音声信号を入出力する通話処理部と、非通話音を生成する非通話音処理部と、複数の子器を前記通話処理部と前記非通話音処理部に択一的に切換接続する切換部と、２つの入力信号を加算して前記スピーカに出力する第１加算部と、２つの入力信号を加算して前記切換部に出力する第２加算部とを備え、前記通話処理部から出力される音声信号と前記非通話音処理部から出力される非通話音の音響信号が前記２つの入力信号となることを特徴とするインターホン装置。
【請求項２】
前記切換部は、複数個のリレー要素が集積化された集積回路からなることを特徴とする請求項１記載のインターホン装置。
【請求項３】
前記第１加算部及び前記第２加算部がオペアンプからなることを特徴とする請求項１又は２記載のインターホン装置。
【請求項４】
前記通話処理部と前記非通話音処理部が１つのマイクロプロセッサで構成されることを特徴とする請求項１〜３の何れか１項に記載のインターホン装置。
【請求項５】
外部から入力される一斉放送の音響信号と音声信号とを択一的に切り換えて前記通話処理部に入力する一斉放送切換部を備えることを特徴とする請求項１〜４の何れか１項に記載のインターホン装置。
【請求項６】
請求項１〜５の何れか１項に記載のインターホン装置と、前記インターホン装置の通話処理部と非通話音処理部に択一的に接続される複数の子器とを有することを特徴とするインターホンシステム。
【発明の詳細な説明】
【技術分野】
【０００１】
本発明は、インターホン装置、及び当該インターホン装置を含むインターホンシステムに関する。
【背景技術】
【０００２】
従来より、住戸内に設置され、住戸の外玄関に設置された２台の子器とそれぞれ信号線で接続され、各子器との間で個別に通話信号が伝送されるインターホン装置が提案されている(例えば、特許文献１参照)。
【０００３】
従来のインターホン装置の一例を図１０に示す。このインターホン装置AAは、信号線L1，L2を介して２台の子器B1，B2と接続され、それぞれの子器B1，B2との間で通話音声の音声信号を送受信するとともに、各子器B1，B2へバックトーン音や警報音などの非通話音の音響信号を送信する。
【０００４】
集積回路からなる通話処理部１は２つの入力端子と２つの出力端子を有している。一方の出力端子にはスピーカアンプ３を介してスピーカ２が接続されている。また、一方の入力端子にはマイクロホンアンプ５を介してマイクロホン４が接続されている。他方の入力端子及び出力端子には通話ハイブリッド回路部６が接続されている。通話ハイブリッド回路部６は、変復調部９と、変復調部９に接続される入力アンプ７及び出力アンプ８とで構成される。なお、通話処理部１では、入力アンプ８から入力される受話音声信号とマイクロホンアンプ５から入力される送話音声信号の信号パワーを比較することで通話方向を切り換える処理(音声スイッチ処理)などを実行している。
【０００５】
変復調部９には第１切換部14の共通接点14Cが接続されている。変復調部９は、入力アンプ７を介して入力される音声信号(送話音声信号)を変調して第１切換部14へ出力するとともに、第１切換部14から入力される信号を復調した音声信号(受話音声信号)を出力アンプ８へ出力する。第１切換部14において、共通接点14Cに切換接続される２つの切換接点14A，14Bのうち、一方の切換接点14Aには第２切換部15の切換接点15A1が接続され、他方の切換接点14Bには第２切換部15の切換接点15A2が接続される。また、第２切換部15の２つの共通接点15C1，15C2には、各々信号線L1，L2を介して子器B1，B2が接続される。
【０００６】
非通話音処理部10は、呼出音やバックトーン音、警報音などの通話音声以外の音(非通話音)を生成するとともに、第１出力端子から呼出音又は警報音を出力し、第２出力端子からバックトーン音を出力する。第１出力端子は、アンプ11Aとトランス13Aを介して第２切換部15の切換接点15B1に接続されるとともに、アンプ11Bとトランス13Bを介して第２切換部15の切換接点15A2に接続され、さらにスピーカアンプ３に接続されている。一方、第２出力端子は、アンプ12Aを介して第２切換部15の切換接点15A1に接続されるとともに、アンプ12Bを介して第２切換部15の切換接点15B2に接続されている。
【０００７】
インターホン装置AAと一方の子器B1との間でインターホン通話が行われる場合、第１切換部14の共通接点14Cが一方の切換接点14Aに切換接続されるとともに、第２切換部15の一方の共通接点15C1が切換接点15A1に切換接続される。これにより、通話処理部１と子器B1との間に信号線L1を含む通話路が形成されてインターホン通話が可能となる。同様に、インターホン装置AAと他方の子器B2との間でインターホン通話が行われる場合、第１切換部14の共通接点14Cが他方の切換接点14Bに切換接続されるとともに、第２切換部15の他方の共通接点15C2が切換接点15A2に切換接続される。これにより、通話処理部１と子器B2との間に信号線L2を含む通話路が形成されてインターホン通話が可能となる。
【０００８】
また、非通話音処理部10の出力端子から出力される警報音は、スピーカアンプ３を介してスピーカ２から鳴動されるとともに第１切換部15から信号線L1，L2を介して各子器B1，B2に伝送され、それぞれの子器B1，B2のスピーカからも鳴動される。なお、警報音は火災などの緊急事態の発生を知らせるためのブザー音やメッセージ音などである。
【０００９】
さらに、何れかの子器B1(又はB2)から呼出が有った場合、非通話音処理部10の一方の出力端子から呼出音が出力されるとともに他方の出力端子から呼出音と異なるバックトーン音が出力される。呼出音はスピーカアンプ３を介してスピーカ２から鳴動され、バックトーン音は第２切換部15を介して呼出元の子器B1(又はB2)に伝送されて当該子器B1(又はB2)のスピーカから鳴動される。なお、一方の子器B1(又はB2)とのインターホン通話中に他方の子器B2(又はB1)から呼出が有った場合、非通話音処理部10の一方の出力端子から呼出音が出力されるとともに他方の出力端子から呼出音と異なるバックトーン音が出力される。この場合、バックトーン音は第２切換部15を介して２台の子器B1，B2に伝送され、各子器B1，B2のスピーカから鳴動される。
【先行技術文献】
【特許文献】
【００１０】
【特許文献１】特開平１０−２１０１６３号公報
【発明の概要】
【発明が解決しようとする課題】
【００１１】
しかしながら、図10に示した従来例では、通話相手の子器B1，B2や非通話音の出力先を切り換えるために第１切換部14及び第２切換部15の２つの切換部を備えているので、回路規模が大きくなってインターホン装置の小型化が困難であった。また、回路部品の点数も多くなってしまうため、低コスト化が図り難いという問題もあった。
【００１２】
本発明は、上記課題に鑑みて為されたものであり、小型化と低コスト化を図ることを目的とする。
【課題を解決するための手段】
【００１３】
本発明のインターホン装置は、マイクロホン及びスピーカと、音声信号を入出力する通話処理部と、非通話音を生成する非通話音処理部と、複数の子器を前記通話処理部と前記非通話音処理部に択一的に切換接続する切換部と、２つの入力信号を加算して前記スピーカに出力する第１加算部と、２つの入力信号を加算して前記切換部に出力する第２加算部とを備え、前記通話処理部から出力される音声信号と前記非通話音処理部から出力される非通話音の音響信号が前記２つの入力信号となることを特徴とする。
【００１４】
このインターホン装置において、前記切換部は、複数個のリレー要素が集積化された集積回路からなることが好ましい。
【００１５】
このインターホン装置において、前記第１加算部及び前記第２加算部がオペアンプからなることが好ましい。
【００１６】
このインターホン装置において、前記通話処理部と前記非通話音処理部が１つのマイクロプロセッサで構成されることが好ましい。
【００１７】
このインターホン装置において、外部から入力される一斉放送の音響信号と音声信号とを択一的に切り換えて前記通話処理部に入力する一斉放送切換部を備えることが好ましい。
本発明のインターホンシステムは、前記何れかのインターホン装置と、前記インターホン装置の通話処理部と非通話音処理部に択一的に接続される複数の子器とを有することを特徴とする。
【発明の効果】
【００１８】
本発明のインターホン装置及びインターホンシステムは、小型化と低コスト化を図ることができるという効果がある。
【図面の簡単な説明】
【００１９】
【図１】本発明の実施形態を示すブロック図である。
【図２】同上の子器とのインターホン通話の動作を説明するための説明図である。
【図３】同上の警報音鳴動時の動作を説明するための説明図である。
【図４】同上の子器からの呼出時の動作を説明するための説明図である。
【図５】同上の子器からの呼出時の動作を説明するための説明図である。
【図６】同上のインターホン通話中の呼出時の動作を説明するための説明図である。
【図７】同上のインターホン通話中の呼出時の動作を説明するための説明図である。
【図８】本発明の他の実施形態を示すブロック図である。
【図９】本発明のさらに他の実施形態を示すブロック図である。
【図１０】従来例を示すブロック図である。
【発明を実施するための形態】
【００２０】
以下、図面を参照して本発明の実施形態を詳細に説明する。但し、以下に説明する各実施形態の基本構成は図10に示した従来例と共通であるから、従来例と共通の構成要素には同一の符号を付して適宜説明を省略する。
【００２１】
本実施形態のインターホン装置Ａは、図１に示すように信号線L1，L2を介して２台の子器B1，B2と接続されている。通話処理部１は２つの入力端子と２つの出力端子を有し、一方の出力端子が第１加算部16を介してスピーカ２に接続されている。また、他方の出力端子は通話ハイブリッド回路部６の第２加算部17に接続されている。通話ハイブリッド回路部６は、変復調部９と、入力アンプ７の代わりに変復調部９に接続される第２加算部17及び出力アンプ８とで構成される。なお、変復調部９には切換部(第２切換部)15の２つの切換接点15A1，15B2が接続されている。
【００２２】
非通話音処理部10は、第１出力端子から子器向けの警報音及びバックトーン音を出力し、第２出力端子から呼出音及び警報音の音響信号をそれぞれ出力する。第１出力端子は、アンプ11とトランス13を介して切換部15の２つの切換接点15B1，15A2に接続されるとともに、第２加算部17の反転入力端子に接続されている。一方、第２出力端子は、第１加算部16の反転入力端子に接続されている。なお、第１加算部16の非反転入力端子には通話処理部１の一方の出力端子が接続され、第２加算部17の非反転入力端子には通話処理部１の他方の出力端子が接続されている。ここで、第１加算部16並びに第２加算部17は何れもオペアンプからなり、反転入力端子に入力される信号と非反転入力端子に入力される信号を加算した信号を出力する。
【００２３】
本実施形態における子器B1，B2は同一構成であって、マイクロホン30、スピーカ31、マイクロホンアンプ32、変復調部33などを有している。すなわち、マイクロホンアンプ32で増幅された音声信号(送話音声信号)が変復調部32で変調されて信号線L1，L2に送出され、信号線L1，L2から取り込む信号が変復調部32で復調されてスピーカ31から音声(受話音声)が鳴動される。
【００２４】
インターホン装置Ａと一方の子器B1との間でインターホン通話が行われる場合、切換部15の一方の共通接点15C1が切換接点15A1に切換接続される。これにより、通話処理部１と子器B1との間に信号線L1を含む通話路(図１における太い実線参照)が形成されてインターホン通話が可能となる。同様に、インターホン装置Ａと他方の子器B2との間でインターホン通話が行われる場合、切換部15の他方の共通接点15C2が切換接点15A2に切換接続される。これにより、通話処理部１と子器B2との間に信号線L2を含む通話路(図２における太い実線参照)が形成されてインターホン通話が可能となる。
【００２５】
また、非通話音処理部10の第２出力端子から出力される警報音の音響信号は、第１加算部16を介してスピーカ２に入力され、スピーカ２から警報音が鳴動される。一方、非通話音処理部10の第１出力端子から出力される子器向けの警報音の音響信号は、第２加算部17から変復調部９を介して切換部15の切換接点15A1に入力されるとともに、アンプ11及びトランス13を介して切換部15の切換接点15A2に入力される。このとき、切換部15では、共通接点15C1が切換接点15A1に接続され、共通接点15C2が切換接点15A2に接続されているので、２台の子器B1，B2の何れにも警報音の音響信号が伝送される(図３参照)。故に、双方の子器B1，B2のスピーカ31から警報音が鳴動されることになる。
【００２６】
さらに、一方の子器B1から呼出が有った場合、非通話音処理部10の第２出力端子から呼出音の音響信号が出力されるとともに第１出力端子から呼出音と異なるバックトーン音の音響信号が出力される。呼出音の音響信号は第１加算部16を介してスピーカ２に入力されてスピーカ２から呼出音が鳴動され、バックトーン音の音響信号は切換部15を介して呼出元の子器B1に伝送されて子器B1のスピーカ31に入力されてスピーカ２からバックトーン音が鳴動される。このとき、切換部15ではバックトーン音の音響信号が入力される切換接点15B1に共通接点15C1が接続されている(図４参照)。同様に、他方の子器B2から呼出が有った場合、非通話音処理部10の第２出力端子から呼出音の音響信号が出力されるとともに第１出力端子から呼出音と異なるバックトーン音の音響信号が出力される。呼出音の音響信号は第１加算部16を介してスピーカ２に入力されてスピーカ２から呼出音が鳴動され、バックトーン音の音響信号は切換部15を介して呼出元の子器B2に伝送されて子器B2のスピーカ31に入力されてスピーカ31からバックトーン音が鳴動される。このとき、切換部15ではバックトーン音の音響信号が入力される切換接点15A2に共通接点15C2が接続されている(図５参照)。
【００２７】
またさらに、一方の子器B1とのインターホン通話中に他方の子器B2から呼出が有った場合、非通話音処理部10の第２出力端子から呼出音の音響信号が出力されるとともに第１出力端子から呼出音と異なるバックトーン音の音響信号が出力される。呼出音の音響信号は第１加算部16において受話音声と加算されてスピーカ２に入力されてスピーカ２から呼出音が鳴動され、バックトーン音の音響信号は切換部15を介して呼出元の子器B2に伝送されて子器B2のスピーカ31に入力されてスピーカ31からバックトーン音が鳴動される。このとき、切換部15ではバックトーン音の音響信号が入力される切換接点15A2に共通接点15C2が接続されている(図６参照)。同様に、他方の子器B2とのインターホン通話中に一方の子器B1から呼出が有った場合、非通話音処理部10の第２出力端子から呼出音の音響信号が出力されるとともに第１出力端子から呼出音と異なるバックトーン音の音響信号が出力される。呼出音の音響信号は第１加算部16において受話音声と加算されてスピーカ２に入力されてスピーカ２から呼出音が鳴動され、バックトーン音の音響信号は切換部15を介して呼出元の子器B1に伝送されて子器B1のスピーカ31に入力されてスピーカ31からバックトーン音が鳴動される。このとき、切換部15ではバックトーン音の音響信号が入力される切換接点15A1に共通接点15C1が接続されている(図７参照)。
【００２８】
上述のように本実施形態のインターホン装置Ａは、図10に示した従来例よりも少ない回路規模で同等の機能を実現することができる。すなわち、本実施形態(図１参照)では従来例(図10参照)から３つのアンプ11B，12A，12Bと１つのトランス13B並びに第１切換部14が削除されており、回路部品の点数が減少するとともに当該回路部品に対する配線パターンが削減されている。故に、本実施形態は従来例と比較して小型化と低コスト化を図ることができる。
【００２９】
ここで、切換部15を２個のリレー要素が集積化された集積回路(リレーIC)で構成すれば、さらに小型化と低コスト化を図ることができる。また、本実施形態では第１加算部16及び第２加算部17がオペアンプで構成されているので、従来例と比較したときに小型化及び低コスト化が阻害されることがない。
【００３０】
ところで、更に小型化及び低コスト化を図るために、通話処理部１と非通話音処理部10が１つのマイクロプロセッサ40で構成されてもよい。例えば、図８に示すように通話処理部１が行っている通話処理と非通話音処理部10が行っている非通話音の生成処理をマイクロプロセッサ40で実行すればよい。但し、マイクロプロセッサ40には２入力２出力のコーデック部41と、２チャンネルのＤ/Ａ変換部42とが接続される。マイクロホンアンプ５から出力される音声信号(送話音声信号)と、通話ハイブリッド回路部６の出力アンプ８から出力される音声信号（受話音声信号）とがコーデック部41でエンコードされてマイクロプロセッサ40に入力される。また、マイクロプロセッサ40から出力される音声信号(送話音声信号及び受話音声信号)がコーデック部41でデコードされて第１加算部16や第２加算部17に出力される。
【００３１】
また、集合住宅用のインターホンシステムにおいては、集合住宅の管理人室に設置されている通話機器(警報監視盤)から各住戸に設置されている住戸機(インターホン装置Ａ)に一斉に音声などが放送される場合がある。このような一斉放送に対応するため、図９に示すように一斉放送の音声信号(あるいは非音声の音響信号)を受信して増幅する一斉放送用アンプ50と、一斉放送切換部51とがインターホン装置Ａに設けられてもよい。一斉放送切換部51は、通話処理部１の入力端子に接続される共通接点51Cを、通話ハイブリッド回路部６の出力アンプ８に接続された切換接点51Aと、一斉放送用アンプ50に接続された切換接点51Bとに択一的に切り換えて接続するものである。而して、一斉放送を受信する場合には、一斉放送切換部51の共通接点51Cが切換接点51Bに接続されるため、一斉放送用アンプ50で増幅された一斉放送の音声信号が通話処理部１に入力される。そして、通話処理部１では一斉放送の音声信号を出力端子から第１加算部16に出力し、スピーカ２から一斉放送の音声を鳴動させる。但し、一斉放送の受信時以外は、一斉放送切換部51の共通接点51Cが切換接点51Aに接続されている。このように一斉放送に対応する場合においても、一斉放送用アンプ50と一斉放送切換部51の追加のみで済むから、小型化及び低コスト化が図れるものである。
【符号の説明】
【００３２】
１  通話処理部
２  スピーカ
４  マイクロホン
10  非通話音処理部
15  切換部
16  第１加算部
17  第２加算部
【図１】
0005712365.tif 000002
【図２】
0005712365.tif 000003
【図３】
0005712365.tif 000004
【図４】
0005712365.tif 000005
【図５】
0005712365.tif 000006
【図６】
0005712365.tif 000007
【図７】
0005712365.tif 000008
【図８】
0005712365.tif 000009
【図９】
0005712365.tif 000010
【図１０】
0005712365.tif 000011